(57)【要約】【課題】この発明は、ロックペダルレバーとロック解放ペダルレバーとが交差することが無く、特にロック解放ペダルレバーの操作性の向上を図ったフロアーロックに関する。【解決手段】フロアーロックは、プレート状の支承部を上端に有し上向きに付勢された伸縮可能なスタンド部と、該スタンド部に第１ピンで枢着されると共にスタンド部を超えて前後に延び、後端側にスタンド部と衝合可能なロックピンが取付られ、先端側にステップ部が取り付けられた略く字状のロックペダルレバーと、該ロックペダルレバーと並んで外側に配置され、後端側が前記支承部の裏面に第２ピンによって枢着されたロック解放ペダルレバーと、前記第２ピンとロックピンの間に掛け渡されて枢着されたリンク片と、ロックペダルレバーとロック解放ペダルレバーの間に掛け渡され従動リンク片とからなることを特徴とする。【選択図】 図１
2011005958.tif 000002
【特許請求の範囲】
【請求項１】
支承部を上端に有する可動部を固定された本体部に対して上向きに付勢した伸縮可能なスタンド部と、
中途部分が前記スタンド部の固定部分に第１ピンで枢着されると共に、両端がスタンド部を超えて前後に延び、後端部には前記第１ピンより上方位置に設けられたロックピンを有し、前端部にステップ部が取り付けられたロックペダルレバーと、
該ロックペダルレバーの上方位置で、両端がスタンド部を超えて前後に延び、後端部が前記支承部に第２ピンで枢着され、前端部にステップが取り付けられたロック解放ペダルレバーと、
該ロック解放ペダルレバーの下面に形成されて、ロック解除時に前記ロックペダルレバーのロックピンと衝合してロックピンをロック解除方向に変位させるピン受部と、
一端部が前記第２ピンに固定され、他端部が前記ロックピンに枢着されて、前記第２ピンを支点として揺動するリンク片と、
前記ロックペダルレバーとロック解放ペダルレバーの間に掛け渡され、下部がロックペダルレバーの第１ピンとロックピンとの間に枢着され、上部が第２ピンより離間した位置に枢着されて、ロックペダルレバーのロック方向の枢動に連動してロック解放ペダルレバーをロックペダルレバーの枢動角より小さい枢動角で枢動させる従動リンク片と、
該従動リンク片のロックペダルレバーとの枢着個所に設けられて、ロックペダルレバーに突設された枢軸に対して摺動可能に形成され、ロックペダルのロック位置でロック解放ペダルレバーを第２ピンを支点にして枢動可能とする長孔と、
前記ロックペダルレバーおよびロック解放ペダルレバーをそれぞれ上方向の待機位置に付勢する付勢手段とを有し、
前記ロックピンが、前記第１ピンと第２ピンとを結ぶ線より前方にあるロック位置と、後方にあるロック解除位置とに変位するように設けられていることを特徴とするフロアーロック。
【請求項２】
前記リンク片が、左右一対の側板と、該側板間の上方に一連に掛け渡される上方連設片とからなる断面略コ字状に形成されており、左右の側板の上部が第２ピンに枢着され、下部がロックピンに枢着されており、
前記第２ピンの枢着個所は、第２ピンに対するロック解放ペダルレバーの枢着個所より内側に配置されていることを特徴とする請求項１に記載のフロアーロック。
【請求項３】
従動リンク片が、ロックピンと衝合しないように略逆へ字状に曲成されたプレートからなっていることを特徴とする請求項１に記載のフロアーロック。
【発明の詳細な説明】
【技術分野】
【０００１】
この発明は、キャスタ等の足回りを装備した運搬台車などを、所望の位置で固定するために使用するフロアーロックの改良に関する。
【背景技術】
【０００２】
従来、フロアーロックは、例えば実公昭５３−５２７６７号に示すように、筒状のスタンドと、該スタンドに対し同軸上に昇降可能とした押上体と、前記スタンドと押上体との間に介設されて押上体を上向きに付勢する圧縮バネと、前記スタンドに対して横軸状に設けられ軸端を外部に突出させた軸と、一端に足踏部材を有し他端に前記軸と平行な第１ピンを備えると共に前記足踏部材と第１ピンの間に形成されたくの字状のアームからなって、前記軸回りに揺動自在に連結されたロックペダルレバーと、前記押上体の上端に設けたテーブルの底部に軸受片を介して第１ピンと平行に設けた第２ピンと、前記第１ピンおよび第２ピンに嵌合するようにロックペダルレバーと平行に形成されて、前記ロックペダルレバーと並列に配置されたＬ状のロック解放ペダルレバーとからなり、前記ロックペダルレバーの踏込み動作に従ってリンク片を介して押上体とスタンドとが伸張し、この状態から第１ピンが第２ピンと軸とを結ぶ直線上を通過し且つ押上体側にロックペダルレバーの第１ピンが当接されてロック状態となるように構成されており、ロック時にはロック解放ペダルレバーの足踏部材が上となり、ロック解放時にはロックペダルレバーの足踏部材が上になり、使用者が操作しやすいようになっている。
この際に、ロック解放ペダルレバーは、第１ピンと第２ピンの２個所によって枢着されており、作動時には第２ピンを支点として正方向および逆方向に回転するので第１ピンが連動して変位し、これに伴いロック解放ペダルレバーも同時に変位する。
ここで、ロックペダルレバーとロック解放ペダルレバーとは並列に並んでいるので、作動時にはロックペダルレバーとロック解放ペダルレバーとはそれぞれ回転方向が逆になって交差する。
特に、ロック解放時には、圧縮されたバネの反発力で急激に前記ペダル同士が交差するのでものを挟む虞れがある。
前記考案では、ロック解放ペダルレバーに、該解放ペダルの踏込方向の回動を許すように円弧状の長孔を形成し、ロック解放ペダルレバーの位置をほぼ同じ位置に保持するようにしているがロック解放ペダルレバーの位置がほぼ一定となるだけで、ロック解放時にはロックペダルレバーとロック解放ペダルレバーとが一部で重なり合うので、同様の問題が残る。
そこで、本発明者は、ロック解放ペダルレバーをリンク片と直接連動しないようにして、ロック解放時にものを強く挟み込むことがないようにしたフロアーロックとして、特開２００６−２４０５０４で、プレート状の支承部を上端に有し上向きに付勢された伸縮可能なスタンド部と、該スタンド部に第１ピンで枢着されると共にスタンド部を超えて前後に延び、後端側にスタンド部と衝合可能なロックピンが取付られ、先端側にステップ部が取り付けられたロックペダルレバーと、該ロックペダルレバーと並んで外側に配置され、後端側が前記支承部の裏面に第２ピンによって枢着されたロック解放ペダルレバーと、前記第２ピンとロックピンの間に掛け渡されて枢着されたリンク片と、前記ロック解放ペダルレバーで上記リンク片と接触可能な位置に突設された作動部と、前記ロックピンとロック解放ペダルレバーとの間に掛け渡されて、ロック解放ペダルレバーをロックピンに接近する方向に付勢する付勢手段とからなるフロアーロックを提案し、相応の成果を挙げている。
【先行技術文献】
【特許文献】
【０００３】
【特許文献１】実公昭５３−５２７６７号 第１図参照
【特許文献２】特開２００６−２４０５０４
【発明の概要】
【発明が解決しようとする課題】
【０００４】
本発明者は、更に研究を重ねた結果、ロック解放ペダルレバーのストロークを小さくすると共に、ロックペダルレバーを略く字状に形成して、ロック解放ペダルレバーの操作時にロックペダルレバーと交差することが無く、ロック解放時に指やものを強く挟み込むことがないようにしたフロアーロックを提供することにある。
【課題を解決するための手段】
【０００５】
この発明は、上記課題を解決するために、請求項１のフロアーロックでは、
支承部を上端に有する可動部を固定された本体部に対して上向きに付勢した伸縮可能なスタンド部と、
中途部分が前記スタンド部の固定部分に第１ピンで枢着されると共に、両端がスタンド部を超えて前後に延び、後端部には前記第１ピンより上方位置に設けられたロックピンを有し、前端部にステップ部が取り付けられたロックペダルレバーと、
該ロックペダルレバーの上方位置で、両端がスタンド部を超えて前後に延び、後端部が前記支承部に第２ピンで枢着され、前端部にステップが取り付けられたロック解放ペダルレバーと、
該ロック解放ペダルレバーの下面に形成されて、ロック解除時に前記ロックペダルレバーのロックピンと衝合してロックピンをロック解除方向に変位させるピン受部と、
一端部が前記第２ピンに固定され、他端部が前記ロックピンに枢着されて、前記第２ピンを支点として揺動するリンク片と、
前記ロックペダルレバーとロック解放ペダルレバーの間に掛け渡され、下部がロックペダルレバーの第１ピンとロックピンとの間に枢着され、上部が第２ピンより離間した位置に枢着されて、ロックペダルレバーのロック方向の枢動に連動してロック解放ペダルレバーをロックペダルレバーの枢動角より小さい枢動角で枢動させる従動リンク片と、
該従動リンク片のロックペダルレバーとの枢着個所に設けられて、ロックペダルレバーに突設された枢軸に対して摺動可能に形成され、ロックペダルのロック位置でロック解放ペダルレバーを第２ピンを支点にして枢動可能とする長孔と、
前記ロックペダルレバーおよびロック解放ペダルレバーをそれぞれ上方向の待機位置に付勢する付勢手段とを有し、
前記ロックピンが、前記第１ピンと第２ピンとを結ぶ線より前方にあるロック位置と、後方にあるロック解除位置とに変位するように設けられていることを特徴とする。
請求項２の発明では、
前記リンク片が、左右一対の側板と、該側板間の上方に一連に掛け渡される上方連設片とからなる断面略コ字状に形成されており、左右の側板の上部が第２ピンに枢着され、下部がロックピンに枢着されており、
前記第２ピンの枢着個所は、第２ピンに対するロック解放ペダルレバーの枢着個所より内側に配置されていることを特徴とする。
更に、請求項３の発明では、
前記従動リンク片が、ロックピンと衝合しないように略逆へ字状に曲成されたプレートからなっていることを特徴とする。
【発明の効果】
【０００６】
この発明は、ロックペダルレバーとロック解放ペダルレバーとの間に従動リンク片を掛け渡して枢着したので、ロックペダルレバーのロック方向の踏み込み時に従動リンク片を介してロック解放ペダルレバーを連動して傾動して支承部から離間した待機姿勢とし、その傾斜した待機姿勢のままロック解放ペダルレバーを踏み込むことでロック解放を行えるので、ロック解除の操作を極めて容易にすることができる。
【図面の簡単な説明】
【０００７】
【図１】図１はフロアーロックの実施例のロック解除状態の部分断面図である。
【図２】図２は同ロック状態を示す側面図である。
【図３】図３はロック状態からロック解放ペダルレバーを操作してロック解除する際の側面図である。
【図４】図４はロック解除状態の側面図である。
【図５】図５は同平面図である。
【図６】図６は同正面図である。
【図７】図７は図４の反対側から見た側面図である。
【図８】図８は従動リンクとロック解放ペダルレバーとリンクとロックペダルレバーとの連結を示す一部を破断した部分拡大図である。
【発明を実施するための形態】
【０００８】
この発明は、ロックペダルレバーに上部を枢着した従動リンク片の下部に長孔を設けてロック解放ペダルレバーの枢軸と枢着して、ロックペダルレバーにロック解放ペダルレバーを連動させることで操作性の向上を実現した。
以下に、この発明のフロアーロックの好適実施例について図面を参照しながら説明する。
【実施例１】
【０００９】
図１および図２に示すフロアーロック１は、プレート状の支承部２を上端に有し上向きに付勢された伸縮可能なスタンド部３と、該スタンド部３に枢着されたロックペダルレバー４と、該ロックペダルレバー４の外側に並んで配置され、後端側が支承部２から下方に突出するブラケット２１に枢着されたロック解放ペダルレバー５と、前記ロックペダルレバー４の先端と前記ブラケット２１との間に掛け渡されて枢着されたリンク片６と、前記ロックペダルレバー４とロック解放ペダルレバー５との間に掛け渡され両端が枢着された従動リンク片７とからなっている。
なお、この実施例では図中左側を前方とし、右側を後方として説明する。
【００１０】
［スタンド部］
スタンド部３は、可動部と本体部とからなっており、本体部は、底面にゴム座を設けたベース部３１と、その上に立設するステム３２と、該ステム３２によって支持される内筒部３３とからなっている。
可動部は、該内筒部３３に外嵌して相対的に昇降自在な外筒部３４からなっており、外筒部３４の上にプレート状の支承部２が固設されている。
前記ベース部３１は、その上面に球座３５を一体に有し、内筒部３３の下端に設けたバネ受３６を前記ステム３２で離間位置に支持し、該ステム３２にアウターバネ３７を外嵌してベース部３１とバネ受３６との間に圧縮したアウターバネ３７を内蔵した公知構成からなっている。
【００１１】
そして、内筒部３３と外筒部３４の間には付勢手段の圧縮バネとしてコイルスプリングＳ１が内蔵されている。
該コイルスプリングＳ１の上端が支承部２に固定された外筒部３４の天壁に掛け止められ、下端が内筒部３３を横方向に水平に貫通する第１ピンＰ１に掛け止められている。
これにより前記コイルスプリングＳ１が伸張すると反発力を高めながら外筒部３４が内筒部３３から伸びてスタンド部３は図２のように伸長する。
また、外筒部３４には下端縁部に半円形状の切欠部３４ａが形成されており、外筒部３４の下降時に内筒部３３に突設された第１ピンＰ１に嵌合しうるようになっている。
【００１２】
［ロックペダルレバー］
次ぎに、前記スタンド部３の中途位置には、中間部が第１ピンＰ１で枢着されてスタンド部３を超えて前後に延びるロックペダルレバー４が取り付けられている。
ロックペダルレバー４は、本実施例の場合、略く字状からなってその中途位置の屈曲部分が前記第１ピンＰ１に枢着され上向きに延びると共に、スタンド部３を挟んで左右一対に配置されたレバー本体４１と、一対のレバー本体４１の後端間に掛け渡されて取り付けられるロックピンＰ３と、一対のレバー本体４１の前方間に掛け渡されて取り付けられるステップ部４２とからなっている。
【００１３】
ロックピンＰ３は、ロックペダルレバー４の後端側で第１ピンＰ１より常に上方位置となるように設定されている。
上記ロックピンＰ３は、後述のように、ロックペダルレバー４のステップ部４２を踏み込んでスタンド部３を伸長させた際に、スタンド部３の外筒部３４の外周壁と衝合して、ロックペダルレバー４のそれ以上の回動を規制し、スタンド部３の伸張姿勢を維持するものである。
前記スタンド部３には、第１ピンＰ１の両端が内筒部３３から外方へ突出しており、前記ロックペダルレバー４の一対のレバー本体４１の中央の屈曲部の下方位置で枢着しており、ロックペダルレバー４の回動支点となっている。
【００１４】
［ロック解放ペダルレバー］
次にロック解放ペダルレバー５は、前記ロックペダルレバー４の一側方のレバー本体４１の外側に並んで配置されている。
図示例の場合、ロック解放ペダルレバー５は、スタンド部３の一側に配置された１本のレバー状の解放ペダル本体５１と、該解放ペダル本体５１の前方を折り曲げてロックペダルレバー４のステップ部４２とは離間した位置でレバーの延出方向と直交する外方へ延びるステップ片部５２とからなっている。
符号５５は支承部２の裏面と衝合してロック解放ペダルレバー５の図中反時計方向の回転を規制するストッパである。
このロック解放ペダルレバー５は、後端側が支承部２の裏面に突設されたブラケット２１に第２ピンＰ２により枢着されている。
【００１５】
［リンク片］
次ぎに、前記ロックピンＰ３と第２ピンＰ２とにリンク片６の両端が枢着されている。
リンク片６は、横架連設片によって左右一対の側板６１が連結された断面略コ字状に形成されており、左右の側板６１の上部が第２ピンＰ２に枢着され、下部がロックピンＰ３に枢着されている。
【００１６】
ここで第２ピンＰ２は、前記支承部２の裏面で垂下する左右一対のブラケット２１間に水平に掛け渡されて外方へ突出している（図１、図６参照）。
そして、ブラケット２１の外側で、まずリンク片６の左右一対の上部が第２ピンＰ２に枢着され、その外側に前記ロック解放ペダルレバー５の先端側が同軸上に枢着されており、第２ピンＰ２に対するリンク片６の枢着個所はロック解放ペダルレバー５の枢着個所に対して内側に配置される。
【００１７】
［バネ］
前記ロック解放ペダルレバー５には、支承部２に沿って延びる待機位置方向に付勢する付勢手段が設けられている。
本実施例では、第２ピンＰ２に捲回されて一端が支承部２の裏面に掛け止められ他端がロック解放ペダルレバー５の上部に掛け止められる渦巻きバネＳ２が取り付けられており、ロック解放ペダルレバー５を略水平姿勢となる待機位置方向に付勢している。
また、第１ピンＰ１には図示しない渦巻きバネが取り付けられて一端がロックペダルレバー４に掛け止められて同様に略水平姿勢となる待機位置方向に付勢している。
【００１８】
［従動リンク片］
次に、前記ロックペダルレバー４とロック解放ペダルレバー５との間に従動リンク片７が掛け渡されている。
この従動リンク片７は、スタンド部の伸張時のロックピンＰ３と衝合しないように略逆へ字状に曲成されたプレートからなっており、上部がロック解放ペダルレバー５の内壁面の中途位置に枢軸Ｐ４によって枢着されており、下部がロックペダルレバー４の第１ピンＰ１とロックピンＰ３との間でロックピンＰ３寄りに配置されて外方へ突出する枢軸Ｐ５によって枢着されている（図１から４及び図８参照）。
【００１９】
ここで、ロックペダルレバー４の枢軸Ｐ５は従動リンク片７の下部に穿設された長孔８内に嵌合されている。
この長孔８により、従動リンク片７は枢軸Ｐ５に摺動可能に枢着されているので、図２に示すロックペダル４のロック位置で、連動して傾いたロック解放ペダルレバー５を前記長孔８の長さを最大ストロークとして、第２ピンＰ２を支点にして下方へ傾動させることができるようになっている。
【００２０】
そこで、上記従動リンク片７は、ロックペダルレバー４が第１ピンＰ１を支点にステップ部４２が押し下げられると、これに連動してロック解放ペダルレバー５を第２ピンＰ２を支点にしてロックペダルレバー４と同じ方向でロックペダルレバー４の回転角より小さい角度で回転させる。
この際に、枢軸Ｐ５は、従動リンク片７の前記長孔８の下端に位置している。
そして、ロックペダルレバー４がやや斜めに傾斜した姿勢がロック解放のための待機姿勢となるので、使用者はペダル操作のために足を差し入れやすくなる。
【００２１】
上記のようにロック解放のための待機姿勢では、図２に示すように長孔８の下端に枢軸Ｐ５が位置しているので、上記長孔８の長さの範囲で枢軸Ｐ５と衝合するまでロック解除ペダルレバー５を更に下方に押し込むことができる（図３参照）。
このロック解除ペダルレバー５の押し込みにより、スタンド部３を短縮方向に変位させる。
【００２２】
［ピンの位置関係］
ここで、第１ピンＰ１は内筒部３３に固定され、第２ピンＰ２は支承部２の下方で固定されているが、スタンド部３の伸縮により第１ピンＰ１およびロックピンＰ３の位置は変化する。
そして、前記スタンド部３に内蔵されたコイルスプリングＳ１により作用する付勢力は、上記第１ピンＰ１と第２ピンＰ２を結ぶ線Ｌに対して、前記ロックピンＰ３が変位して上記線Ｌ上にくると思案点となり、この線Ｌを越えることにより超えた方向に付勢力が働くようになっている。
【００２３】
従って、前述のように、ロックペダルレバー４は、ロックピンＰ３が前記思案点を超えてその前方位置に変位する図２のロック位置になると、ロックペダルレバー４は、ロック方向に付勢されるのでロック姿勢を維持することができる。
ここで、ロックピンＰ３は、外筒部３４がストッパとなって、それ以上前方への変位が行われない。
【００２４】
ここで、前記ロック解放ペダルレバー５の下面には、ロック時に前記ロックペダルレバー４のロックピンＰ３と衝合するピン受用の段差状に形成された切欠が設けられており作動部１３となっている。
そこで、図２に示すロック姿勢でロック解放ペダルレバー５を図中点線位置まで踏み込むと、ロック解放ペダルレバー５の下端に形成された作動部１３がロックピンＰ３を押す。
これにより、リンク片６は第２ピンＰ２を支点として図中反時計方向に回転する。
このリンク片６の回転によりロックピンＰ３が前記Ｐ１−Ｐ２間の線Ｌを超えて後方へ移動する(図３参照）。
また、同時にロックペダルレバー４はリンク片６の作動で第１ピンＰ１を支点にして、図中時計方向に回転してステップ部４２がロック解放レバー５とほぼ並び、あるいは高位置に変位するロック解放位置となる（図１参照）。
【００２５】
また、このロック解放位置から、ロックペダルレバー４のステップ部４２を踏み下ろすと、リンク片６が連動し、ロックピンＰ３が前記Ｐ１−Ｐ２間の線Ｌを超えると、図２に示すようにロックペダルレバー４を図中反時計方向に付勢する。
そしてロックピンＰ３は外側筒部に衝合してロックペダルレバー４の位置をロックすることができる。
【００２６】
本実施例では、ロック解放ペダルレバー５は、前記長孔８の長さ範囲で行うのでロック解除のための傾動角度は小さくてよい。
これによりロック解放ペダルレバー５を傾斜姿勢から更に傾動し、ロックペダルレバー４がロック解除される際に、ロック解放ペダルレバー５とロックペダルレバー４とは交差することがない。
【００２７】
更に、本実施例ではロックペダルレバー４は中央が下方に窪むく字形状からなっており、支承部２との間は常に大きく開いているので、指などを挟む虞れはない。
また、図５に示すようにロックペダルレバー４とロック解放ペダルレバー５とはそのステップ部４２、５２やレバー部分が重なることがないので指やモノを挟むおそれがない。
この発明は上記実施例に限定されるものではなく、要するにこの発明の要旨を変更しない範囲で用途に応じて種々設計変更しうること勿論である。
【符号の説明】
【００２８】
１  フロアーロック
２  支承部
３  スタンド部
４  ロックペダルレバー
５  ロック解放ペダルレバー
６  リンク片
７  従動リンク片
８  長孔
２１  ブラケット
３１  ベース部
３２  支脚部
３３  内筒部
３４  外筒部
３５  球座
３６  バネ受
３７  圧縮バネ  
４１  レバー本体
４２  ステップ部
５１  解放ペダル本体
５２  ステップ片部
６１  側板
６２  連設片
Ｓ１  スプリング
Ｓ２  バネ
【図１】
2011005958.tif 000003
【図２】
2011005958.tif 000004
【図３】
2011005958.tif 000005
【図４】
2011005958.tif 000006
【図５】
2011005958.tif 000007
【図６】
2011005958.tif 000008
【図７】
2011005958.tif 000009
【図８】
2011005958.tif 000010